(57)【要約】      （修正有）【課題】サーモスタットの感温性能を向上させることができる制御バルブを提供する。【解決手段】冷却水の流入口３７ａ及びラジエータ流出口４１ｂを有する筒状のケーシング２１と、ケーシング２１の軸線Ｏ回りに回転可能にケーシング２１内に収容され、流入口３７ａに連通して冷却水が流通する流通路９３を有する弁体２２と、を備え、弁体２２には、弁体２２の回転位置に応じて流通路９３とラジエータ流出口４１ｂに連通するラジエータ連通口１００が形成され、ケーシング２１のうち、流入口３７ａの開口方向で流入口３７ａに対向する部分には、サーモスタット４５により開閉可能に構成されたフェール開口４１ａが形成されている。【選択図】図５
2018071779.tif 000002
【特許請求の範囲】
【請求項１】
流体の流入口及び第１流出口を有する筒状のケーシングと、
前記ケーシングの軸方向に延びる軸線回りに回転可能に前記ケーシング内に収容され、前記流入口に連通して流体が流通する流通路を有する弁体と、を備え、
前記弁体には、前記弁体の回転位置に応じて前記流通路と前記第１流出口に連通する第１連通口が形成され、
前記ケーシングのうち、前記流入口の開口方向で前記流入口に対向する部分には、サーモスタットにより開閉可能に構成されたフェール開口が形成されていることを特徴とする制御バルブ。
【請求項２】
前記ケーシングのうち、前記フェール開口に隣接する部分には、前記フェール開口の開口方向に対して交差する方向に開口する第２流出口が形成されていることを特徴とする請求項１に記載の制御バルブ。
【請求項３】
前記ケーシングは、
有底筒状のケーシング本体と、
前記ケーシング本体の開口部を閉塞する蓋体と、を有し、
前記フェール開口は、前記ケーシング本体における前記軸方向の前記蓋体寄りに位置する部分を径方向に貫通し、
前記第２流出口は、前記蓋体を前記軸方向に貫通し、
前記蓋体には、前記ケーシングの外部に配置される熱交換器と、前記第２流出口と、の間を接続する第１ジョイントが一体で形成されていることを特徴とする請求項２に記載の制御バルブ。
【請求項４】
前記弁体は、
前記ケーシングに回転可能に支持された回転軸と、
前記回転軸における前記軸方向の一部を取り囲んで前記回転軸との間に前記流通路を画成するとともに、前記第１連通口が形成された弁筒部と、を有し、
前記ケーシング内において、前記軸方向で前記弁筒部を回避した位置は、前記流入口及び前記流通路を連通させる接続流路を構成し、
前記第２流出口は、前記接続流路に直接連通していることを特徴とする請求項２又は請求項３に記載の制御バルブ。
【請求項５】
前記弁体は、
前記軸方向の両端部が前記ケーシングにそれぞれ軸受を介して回転可能に支持された回転軸と、
前記回転軸を取り囲んで前記回転軸との間に前記流通路を画成するとともに、前記第１連通口が形成された弁筒部と、を有し、
前記ケーシングにおける前記軸受に対して前記軸方向の内側に位置する部分と、前記回転軸と、の間には、シールリングが配置され、
前記ケーシングには、前記シールリングに対して前記軸方向の外側に位置する部分を大気に開放する大気開放部が形成されていることを特徴とする請求項１から請求項４の何れか１項に記載の制御バルブ。
【請求項６】
前記第１流出口及び前記フェール開口は、前記ケーシングに並んで形成され、
前記ケーシングの外面は、前記第１流出口及び前記フェール開口の周囲を取り囲むとともに、前記第１流出口及び前記フェール開口にまとめて連通する第２ジョイントが溶着された溶着部を有していることを特徴とする請求項１から請求項５の何れか１項に記載の制御バルブ。
【請求項７】
前記第２ジョイントは、車両のラジエータに接続されることを特徴とする請求項６に記載の制御バルブ。
【発明の詳細な説明】
【技術分野】
【０００１】
本発明は、制御バルブに関するものである。
【背景技術】
【０００２】
冷却水を用いてエンジンを冷却する冷却システムでは、ラジエータとエンジンとの間を循環するラジエータ流路とは別に、ラジエータをバイパスするバイパス流路やオイルウォーマを通過する暖機流路等が設けられている場合がある。このような冷却システムには、ラジエータ流路やバイパス流路、暖機流路等への冷却水の流通を制御する制御バルブが設けられている（例えば、下記特許文献１参照）。
この構成によれば、冷却水温度等に応じて冷却水の流通を切り替えることで、早期昇温や高水温（最適温）制御等による燃費向上が図られている。
【０００３】
上述した制御バルブとしては、冷却水の流入口を有する筒状のケーシングと、ケーシング内にケーシングと同軸で配置され、軸線回りに回転可能に構成された筒状の弁体と、を有する構成が知られている（例えば、下記特許文献２参照）。
ケーシングには、ケーシングを径方向に貫通する流出口が形成されている。流出口は、ケーシングの軸方向に間隔をあけて複数形成されている。
弁体の内側には、ケーシング内に流入した冷却水が軸方向に流通する流通路が形成されている。弁体には、弁体の回転に応じて流通路と上述した各流出口とを各別に連通する複数の連通口が形成されている。
【０００４】
この構成によれば、弁体を回転させることで、流出口と連通口との連通及び遮断が切り替えられる。そして、制御バルブ内に流入した冷却水は、流通路を流通する過程で、連通口と連通状態にある流出口を通じて制御バルブから流出する。これにより、制御バルブに流入した冷却水が、弁体の回転に応じて１つ又は複数の流路に分配される。
【先行技術文献】
【特許文献】
【０００５】
【特許文献１】特開２０１５−１２１２０７号公報
【特許文献２】特開２０１５−２１８８５２号公報
【発明の概要】
【発明が解決しようとする課題】
【０００６】
ところで、制御バルブでは、異常発生時において、例えばラジエータ流路に冷却水を供給するためのフェール開口がケーシングに形成されている場合がある。この場合、フェール開口は、サーモスタットにより開閉可能とされている。この構成によれば、冷却水温度が所定温度以上になった場合に、弁体の回転位置に関わらずサーモスタットがフェール開口を開放するようになっている。
しかしながら、ケーシング内でのサーモスタットの取付位置によっては、サーモスタットに対して効果的に冷却水を当てることができず、サーモスタットの感温性能（応答性）が悪いという課題があった。
【０００７】
そこで、本発明は、上述した事情に考慮してなされたもので、サーモスタットの感温性能を向上させることができる制御バルブを提供することを目的とする。
【課題を解決するための手段】
【０００８】
上記課題を解決するために、本発明は以下の態様を採用した。
本発明の一態様に係る制御バルブは、流体の流入口及び第１流出口を有する筒状のケーシングと、前記ケーシングの軸方向に延びる軸線回りに回転可能に前記ケーシング内に収容され、前記流入口に連通して流体が流通する流通路を有する弁体と、を備え、前記弁体には、前記弁体の回転位置に応じて前記流通路と前記第１流出口に連通する第１連通口が形成され、前記ケーシングのうち、前記流入口の開口方向で前記流入口に対向する部分には、サーモスタットにより開閉可能に構成されたフェール開口が形成されている。
【０００９】
本態様によれば、ケーシングのうち、流入口の開口方向で流入口に対向する部分に、サーモスタットが配置されているので、ケーシング内に流入した流体をサーモスタットに対して効果的に当てることができる。これにより、サーモスタットの感温性能を向上させることができる。その結果、弁体の回転位置に関わらず（第１流出口と第１連通口との連通状態に関わらず）、流体温度に応じて速やかにフェール開口を開閉できる。
【００１０】
上記態様において、前記ケーシングのうち、前記フェール開口に隣接する部分には、前記フェール開口の開口方向に対して交差する方向に開口する第２流出口が形成されていることが好ましい。
本態様によれば、流入口を通ってケーシング内に流入した流体は、サーモスタットに当たった後、第２流出口を通してケーシングの外部に流出することになる。そのため、ケーシング内におけるサーモスタット周辺に第２流出口に向けた流れを作ることができるので、サーモスタット周辺によどみ点が形成されるのを抑制できる。そのため、サーモスタットの感温性能をさらに向上させることができる。
【００１１】
上記態様において、前記ケーシングは、有底筒状のケーシング本体と、前記ケーシング本体の開口部を閉塞する蓋体と、を有し、前記フェール開口は、前記ケーシング本体における前記軸方向の前記蓋体寄りに位置する部分を径方向に貫通し、前記第２流出口は、前記蓋体を前記軸方向に貫通し、前記蓋体には、前記ケーシングの外部に配置される熱交換器と、前記第２流出口と、の間を接続する第１ジョイントが一体で形成されていることが好ましい。
本態様によれば、熱交換器と制御バルブとの間を接続する接続管が蓋体に一体で形成されているため、ケーシング本体や蓋体に接続管を別体で取り付ける（溶着等）場合に比べて、部品点数の削減や、取付工程の削減を図ることができる。
【００１２】
上記態様において、前記弁体は、前記ケーシングに回転可能に支持された回転軸と、前記回転軸における前記軸方向の一部を取り囲んで前記回転軸との間に前記流通路を画成するとともに、前記第１連通口が形成された弁筒部と、を有し、前記ケーシング内において、前記軸方向で前記弁筒部を回避した位置は、前記流入口及び前記流通路を連通させる接続流路を構成し、前記第２流出口は、前記接続流路に直接連通していることが好ましい。
本態様によれば、第２流出口から流出する流体は、接続流路内に流入した後、流通路を経ずに第２流出口内に流入する。すなわち、第２流出口には、弁体の回転位置に関わらず、常に流体が流入するようになっている。これにより、例えば第１流出口と第１連通口との連通が遮断されている状態（弁体の全閉時）である場合に、接続流路から流通路に向かう流体の流れが弱まる。そのため、弁体の全閉時において、ケーシング内に進入したコンタミが弁体に向けて流れるのを抑制し、第２流出口からコンタミを積極的に排出できる。これにより、弁体の外周面とケーシングの内周面との間にコンタミを噛み込んで、弁体の回転が阻害されるのを抑制できる。
【００１３】
上記態様において、前記弁体は、前記軸方向の両端部が前記ケーシングにそれぞれ軸受を介して回転可能に支持された回転軸と、前記回転軸を取り囲んで前記回転軸との間に前記流通路を画成するとともに、前記第１連通口が形成された弁筒部と、を有し、前記ケーシングにおける前記軸受に対して前記軸方向の内側に位置する部分と、前記回転軸と、の間には、シールリングが配置され、前記ケーシングには、前記シールリングに対して前記軸方向の外側に位置する部分を大気に開放する大気開放部が形成されていることが好ましい。
本態様によれば、回転軸の軸方向の両端部が大気に開放されているため、回転軸の両端部に作用する圧力に差圧が生じない。そのため、例えば回転軸の一方の端部が冷却水中に配置される構成のように、回転軸の両端部に作用する圧力が異なる場合に比べて、回転軸に作用する軸方向の荷重を均等に設定し易くなる。これにより、回転軸が低圧側に軸方向で押し付けられるのを抑制できる。
【００１４】
上記態様において、前記第１流出口及び前記フェール開口は、前記ケーシングに並んで形成され、前記ケーシングの外面は、前記第１流出口及び前記フェール開口の周囲を取り囲むとともに、前記第１流出口及び前記フェール開口にまとめて連通するジョイントが溶着された溶着部を有していてもよい。
本態様によれば、ジョイントが第１流出口及びフェール開口にまとめて連通するため、第１流出口及びフェール開口に別々のジョイントを溶着する場合に比べて部品点数の削減や、溶着工程の削減を図ることができる。また、第１流出口及びフェール開口に別々のジョイントを溶着する場合に比べて、第１流出口及びフェール開口間に位置する部分のジョイントの溶着代を縮小することができる。これにより、制御バルブにおける第１流出口及びフェール開口の配列方向での小型化を図ることができる。
しかも、本態様では、フェール開口に対向する位置に流出口が形成されているため、流出口の開口端面をジョイント溶着時の座面として機能させることができる。これにより、溶着作業を効率的に行うことができる。
【００１５】
上記態様において、前記第２ジョイントは、車両のラジエータに接続されていてもよい。
本態様によれば、流体が所定温度以上になった場合に、フェール開口を通してラジエータに流体を供給することができるので、流体の温度を速やかに所定温度未満に下げることができる。
【発明の効果】
【００１６】
本発明の一態様によれば、サーモスタットの感温性能を向上させることができる。
【図面の簡単な説明】
【００１７】
【図１】実施形態に係る冷却システムのブロック図である。
【図２】第１実施形態に係る制御バルブの斜視図である。
【図３】第１実施形態に係る制御バルブの分解斜視図である。
【図４】第１実施形態に係る制御バルブを、蓋体を取り外した状態で軸方向の第２端側から見た正面図である。
【図５】図２のＶ−Ｖ線に沿う断面図である。
【図６】図２のＶＩ−ＶＩ線に相当する断面図である。
【図７】図４のＶＩＩ−ＶＩＩ線に沿う断面図である。
【図８】第１実施形態に係る弁体を軸方向の第２端側から見た斜視図である。
【図９】第１実施形態に係る弁筒部の展開図である。
【図１０】第１実施形態に係る弁筒部の展開図である。
【図１１】第２実施形態に係る制御バルブにおいて、軸方向の第１端側を示す拡大断面図である。
【図１２】第２実施形態に係る制御バルブにおいて、軸方向の第２端側を示す拡大断面図である。
【発明を実施するための形態】
【００１８】
次に、本発明の実施形態を図面に基づいて説明する。以下の説明では、冷却水を用いてエンジンを冷却する冷却システムに、本実施形態の制御バルブを採用した場合について説明する。
【００１９】
［冷却システム］
図１は、冷却システム１のブロック図である。
図１に示すように、冷却システム１は、車両駆動源に少なくともエンジンを具備する車両に搭載される。なお、車両としては、エンジンのみを有する車両の他に、ハイブリッド車両やプラグインハイブリッド車両等であっても構わない。
【００２０】
冷却システム１は、エンジン２（ＥＮＧ）、ウォータポンプ３（Ｗ／Ｐ）、ラジエータ４（ＲＡＤ）、オイルウォーマ５（Ｏ／Ｗ）、ヒータコア６（ＨＴＲ）、ＥＧＲクーラ７（ＥＧＲ）及び制御バルブ８（ＥＷＶ）が各種流路１０〜１５により接続されて構成されている。
ウォータポンプ３、エンジン２及び制御バルブ８は、メイン流路１０上で上流から下流にかけて順に接続されている。メイン流路１０では、ウォータポンプ３の動作により冷却水がエンジン２及び制御バルブ８を順に通過する。
メイン流路１０には、ラジエータ流路１１、バイパス流路１２、暖機流路１３、空調流路１４及びＥＧＲ流路１５がそれぞれ接続されている。これらラジエータ流路１１、バイパス流路１２、暖機流路１３、空調流路１４及びＥＧＲ流路１５は、メイン流路１０のうちウォータポンプ３の上流部分と制御バルブ８とを接続している。
【００２１】
ラジエータ流路１１には、ラジエータ４が接続されている。ラジエータ流路１１では、ラジエータ４において、冷却水と外気との熱交換が行われる。
バイパス流路１２は、ラジエータ４を迂回する流路である。
【００２２】
暖機流路１３には、オイルウォーマ５が接続されている。オイルウォーマ５とエンジン２との間には、オイル流路１８を通してエンジンオイルが循環している。暖機流路１３では、オイルウォーマ５において、冷却水とエンジンオイルとの熱交換が行われる。なお、本実施形態では、燃費向上や早期暖機の観点で、熱交換器を「オイルウォーマ５」として用いたが、運転条件によっては水温よりも油温のほうが高くなる場合があるため、その際は熱交換器を「オイルクーラ」として用いることは当然である。
【００２３】
空調流路１４には、ヒータコア６が接続されている。ヒータコア６は、例えば空調装置のダクト（不図示）内に設けられている。空調流路１４では、ヒータコア６において、冷却水とダクト内を流通する空調空気との熱交換が行われる。
ＥＧＲ流路１５には、ＥＧＲクーラ７が接続されている。ＥＧＲ流路１５では、ＥＧＲクーラ７において、冷却水とＥＧＲガスとの熱交換が行われる。なお、ＥＧＲ流路１５には、ＥＧＲクーラ７の他、ＥＧＲバルブやターボチャージャ、スロットル等が直列に接続されて、各装置では熱交換が行われるため、熱交換器という。
【００２４】
上述した冷却システム１では、メイン流路１０においてエンジン２を通過した冷却水が、制御バルブ８内に流入した後、制御バルブ８の動作によって各種流路１１〜１５に選択的に分配される。これにより、早期昇温や高水温（最適温）制御等を実現でき、車両の燃費向上が図られている。
【００２５】
（第１実施形態）
＜制御バルブ＞
図２は、制御バルブ８の斜視図である。図３は、制御バルブ８の分解斜視図である。
図２、図３に示すように、制御バルブ８は、ケーシング２１と、弁体２２と、駆動ユニット２３と、を主に備えている。
【００２６】
（ケーシング）
ケーシング２１は、有底筒状のケーシング本体２５と、ケーシング本体２５の開口部を閉塞する蓋体２６と、を有している。なお、以下の説明では、ケーシング２１の軸線Ｏに沿う方向を単に軸方向という。また、ケーシング本体２５の周壁部３１に対してケーシング本体２５の底壁部３２に向かう方向を第１端側といい、ケーシング本体２５の周壁部３１に対して蓋体２６に向かう方向を第２端側という。さらに、軸線Ｏに直交する方向を径方向といい、軸線Ｏ回りの方向を周方向という。本実施形態において、周壁部３１の表面積は、底壁部３２や蓋体２６の表面積よりも大きくなっている。すなわち、ケーシング２１は、軸方向に長い筒状に形成されている。
【００２７】
図４は、制御バルブ８を、蓋体２６を取り外した状態で軸方向の第２端側から見た正面図である。
図４に示すように、ケーシング本体２５及び蓋体２６は、例えば樹脂材料等により形成されている。
ケーシング本体２５の周壁部３１には、取付片（第１取付片３３及び第２取付片３４）が形成されている。各取付片３３，３４は、周壁部３１から径方向の外側に突設されている。各取付片３３，３４は、周壁部３１のうち軸線Ｏを挟んで径方向で対向する位置にそれぞれ形成されている。本実施形態において、第１取付片３３は周壁部３１における軸方向の両端部に位置している（図７参照）。図２に示すように、第２取付片３４は周壁部３１における軸方向の中央部に対して第１端側に位置している。そして、制御バルブ８は、例えば各取付片３３，３４を介してエンジンルーム内に固定される。なお、各取付片３３，３４の位置や数等は、適宜変更が可能である。
【００２８】
図５は、図２のＶ−Ｖ線に沿う断面図である。
図４、図５に示すように、周壁部３１における軸方向の第１端側の部分には、径方向の外側に膨出する流入ポート３７が形成されている。流入ポート３７は、周壁部３１において、上述した取付片３３，３４に対して周方向で例えば９０°ずれた位置に形成されている。流入ポート３７には、流入ポート３７を径方向に貫通する流入口３７ａが形成されている。流入口３７ａは、ケーシング２１内外を連通している。
【００２９】
流入ポート３７の開口端面（径方向の外側端面）には、Ｏリング３８（図３参照）を挟んで上述したメイン流路１０（図２参照）が接続される。なお、流入ポート３７の開口端面は、径方向に直交する平坦面とされている。
【００３０】
図５に示すように、周壁部３１において、軸線Ｏを間に挟んで流入ポート３７に径方向で対向する位置には、径方向の外側に膨出するラジエータポート４１が形成されている。ラジエータポート４１は、径方向から見た側面視において、軸方向を長尺方向とする長円形状に形成されている。ラジエータポート４１には、フェール開口４１ａ及びラジエータ流出口４１ｂが軸方向に並んで形成されている。フェール開口４１ａ及びラジエータ流出口４１ｂは、ラジエータポート４１をそれぞれ径方向に貫通している。本実施形態において、フェール開口４１ａは、上述した流入口３７ａに径方向で対向している。また、ラジエータ流出口４１ｂは、フェール開口４１ａに対して軸方向の第２端側に位置している。なお、フェール開口４１ａ及びラジエータ流出口４１ｂの内径は、同等に形成されている。
【００３１】
ラジエータポート４１の開口端面（径方向の外側端面）は、径方向に直交する平坦面とされている。したがって、ラジエータポート４１の開口端面と、上述した流入ポート３７の開口端面と、は互いに平行に延在している。但し、ラジエータポート４１と流入ポート３７とは、径方向で対向する位置に配置されていれば、ラジエータポート４１の開口端面と流入ポート３７の開口端面とが僅かに傾いて配置されていても構わない。
【００３２】
また、ラジエータポート４１の開口端面（径方向の外側端面）には、ラジエータジョイント（第２ジョイント）４２が接続されている。ラジエータジョイント４２は、ラジエータポート４１とラジエータ流路１１（図１参照）との間を接続している。ラジエータジョイント４２は、フランジ部４３と、ラジエータ供給管４４と、を有している。
【００３３】
フランジ部４３は、ラジエータポート４１の開口端面と同等の形状に形成された長円形状とされている。すなわち、フランジ部４３は、フェール開口４１ａ及びラジエータ流出口４１ｂの周囲を取り囲んでいる。フランジ部４３は、ラジエータポート４１の開口端面に溶着（例えば、振動溶着等）されている。すなわち、ラジエータポート４１の開口端面とフランジ部４３における径方向の内側端面は、それぞれ溶着面とされている。
【００３４】
ラジエータ供給管４４は、フランジ部４３から径方向の外側に延在した後、軸方向の第２端側に向けて延在している。具体的に、ラジエータ供給管４４は、フェール連通部４４ａ、ラジエータ連通部４４ｂ及び合流部４４ｃを備えている。
フェール連通部４４ａは、フランジ部４３のうち径方向から見てフェール開口４１ａと重なる位置から径方向の外側に延在している。フェール連通部４４ａ内は、フェール開口４１ａに連通可能とされている。
ラジエータ連通部４４ｂは、フランジ部４３のうち径方向から見てラジエータ流出口４１ｂと重なる位置から径方向の外側に延在している。ラジエータ連通部４４ｂ内は、ラジエータ流出口４１ｂに連通している。
【００３５】
合流部４４ｃは、軸方向に延在している。合流部４４ｃにおける軸方向の第１端側の部分は、各連通部４４ａ，４４ｂにおける径方向の外側端部にまとめて接続されている。合流部４４ｃにおける軸方向の第２端側の部分には、上述したラジエータ流路１１（図１参照）の上流端部が接続される。なお、ラジエータ供給管４４は、ラジエータポート４１とフランジ部４３との溶着面積が確保されていれば、フェール開口４１ａ及びラジエータ流出口４１ｂにまとめて連通していても構わない。
【００３６】
フェール開口４１ａには、サーモスタット４５が設けられている。サーモスタット４５は、ケーシング２１内を流れる冷却水の温度に応じてフェール開口４１ａを開閉する。サーモスタット４５は、冷却水温度が所定温度以上の場合にフェール開口４１ａを開放し、フェール開口４１ａとフェール連通部４４ａ内とを連通させる。本実施形態において、サーモスタット４５には、例えばワックスペレット型が用いられている。すなわち、サーモスタット４５は、サーモエレメントの内部に充填されたワックスの熱膨張を利用して弁体が作動する。サーモスタット４５は、取付フランジ部がラジエータポート４１の開口端面とフランジ部４３との間に挟持されることで、弁体によってフェール開口４１ａを閉塞している。この場合、サーモスタット４５のサーモエレメントは、ケーシング２１内で上述した流入口３７ａに径方向で対向している。なお、本実施形態では、フェール開口４１ａと流入口３７ａとが同軸に配置される構成について説明したが、この構成のみに限らず、径方向から見てフェール開口４１ａと流入口３７ａとの少なくとも一部同士が重なり合っていれば構わない。
【００３７】
図６は、図２のＶＩ−ＶＩ線に相当する断面図である。
図６に示すように、ラジエータポート４１のうち、軸方向で上述したフェール開口４１ａと同等の位置には、ＥＧＲポート５１が形成されている。ＥＧＲポート５１は、フェール開口４１ａの開口方向に対して直交する方向（第１取付片３３と同一方向）に膨出している。ＥＧＲポート５１には、ラジエータポート４１（フェール開口４１ａ）内に連通するＥＧＲ流出口５１ａが形成されている。ＥＧＲ流出口５１ａは、ＥＧＲポート５１の膨出方向（フェール開口４１ａの開口方向に対して直交する方向）に延在している。なお、ＥＧＲ流出口５１ａの開口方向は、フェール開口４１ａの開口方向に対して交差する方向（フェール開口４１ａの開口方向とは異なる方向）に開口していれば構わない。また、ＥＧＲポート５１（ＥＧＲ流出口５１ａ）は、フェール開口４１ａに隣接する位置であれば、フェール開口４１ａに対して軸方向にずれた位置であっても構わない。
【００３８】
ＥＧＲポート５１の開口端面には、ＥＧＲジョイント５２が接続されている。ＥＧＲジョイント５２は、ＥＧＲポート５１と上述したＥＧＲ流路１５（図１参照）の上流端部との間を接続している。なお、ＥＧＲジョイント５２は、ＥＧＲポート５１の開口端面に溶着（例えば、振動溶着等）されている。
【００３９】
図２に示すように、周壁部３１における軸方向の第２端側の部分のうち、周方向におけるラジエータポート４１と第２取付片３４との間に位置する部分には、バイパスポート５５及び暖機ポート５６が軸方向に並んで形成されている。各ポート５５，５６は、径方向のうちラジエータポート４１及び第２取付片３４の膨出方向に互いに交差する方向（径方向のうち、ラジエータポート４１及び第２取付片３４のそれぞれの膨出方向とは異なる方向）にそれぞれ膨出している。周壁部３１のうち各ポート５５，５６間に位置する部分には、各ポート５５，５６を軸方向で接続する接続部５７が形成されている。接続部５７は、周方向の幅が各ポート５５，５６よりも狭く形成されるとともに、径方向の外側への膨出量が各ポート５５，５６と同等になっている。
【００４０】
図７は、図４のＶＩＩ−ＶＩＩ線に沿う断面図である。
図７に示すように、バイパスポート５５は、暖機ポート５６に対して軸方向の第１端側に配置されている。バイパスポート５５には、バイパスポート５５を径方向に貫通するバイパス流出口５５ａが形成されている。図２に示すように、バイパスポート５５の開口端面（径方向の外側端面）には、バイパスジョイント６１が接続されている。バイパスジョイント６１は、バイパスポート５５と上述したバイパス流路１２（図１参照）の上流端部とを接続している。バイパスジョイント６１は、バイパスポート５５の開口端面から径方向の外側に突出している。なお、バイパスジョイント６１は、バイパスポート５５の開口端面に溶着（例えば、振動溶着等）されている。
【００４１】
図７に示すように、暖機ポート５６には、暖機ポート５６を径方向に貫通する暖機流出口５６ａが形成されている。暖機ポート５６の開口端面（径方向の外側端面）には、暖機ジョイント６２が接続されている。図２に示すように、暖機ジョイント６２は、暖機ポート５６と上述した暖機流路１３（図１参照）の上流端部とを接続している。暖機ジョイント６２は、暖機ポート５６の開口端面から径方向の外側に突出している。暖機ジョイント６２は、暖機ポート５６の開口端面に溶着（例えば、振動溶着等）されている。なお、バイパスポート５５及び暖機ポート５６は、周方向にずれて配置されていても構わない。
【００４２】
図４に示すように、周壁部３１における軸方向の第２端側の部分のうち、周方向におけるラジエータポート４１と第１取付片３３との間に位置する部分には、空調ポート６６が形成されている。空調ポート６６は、径方向のうちラジエータポート４１及び第１取付片３３の膨出方向に互いに交差する方向（径方向のうち、ラジエータポート４１及び第１取付片３３のそれぞれの膨出方向とは異なる方向）に膨出している。図７に示すように、空調ポート６６は、軸方向において、上述したバイパスポート５５及び暖機ポート５６の間に形成されている。本実施形態において、空調ポート６６における軸方向の中央部と、上述した接続部５７における軸方向の中央部と、は軸方向で同等の位置に配置されている。また、空調ポート６６の外径は、軸方向におけるバイパス流出口５５ａ及び暖機流出口５６ａ間の間隔よりも大きくなっている。
【００４３】
空調ポート６６には、空調ポート６６を径方向に貫通する空調流出口６６ａが形成されている。本実施形態において、空調流出口６６ａの内径は、上述した接続部５７における軸方向の幅（バイパス流出口５５ａ及び暖機流出口５６ａ間の間隔）と同等になっている。但し、空調流出口６６ａの内径は、適宜変更が可能である。
【００４４】
図４に示すように、空調ポート６６の開口端面（径方向の外側端面）には、空調ジョイント６８が接続されている。空調ジョイント６８は、空調ポート６６と上述した空調流路１４（図１参照）の上流端部とを接続している。空調ジョイント６８は、空調ポート６６の開口端面から径方向の外側に突出している。なお、空調ジョイント６８は、空調ポート６６の開口端面に溶着（例えば、振動溶着等）されている。
【００４５】
（駆動ユニット）
図２に示すように、駆動ユニット２３は、ケーシング本体２５の底壁部３２に取り付けられている。駆動ユニット２３は、駆動ケース７１内に図示しないモータや減速機構、制御基板等が収納されて構成されている。
【００４６】
（弁体）
図３、図４に示すように、弁体２２は、ケーシング２１内に収容されている。弁体２２は、ケーシング２１の軸線Ｏと同軸に配置された円筒状に形成されている。弁体２２は、軸線Ｏ回りに回転することで、上述した各流出口（ラジエータ流出口４１ｂ、バイパス流出口５５ａ、暖機流出口５６ａ及び空調流出口６６ａ）を開閉する。なお、弁体２２は、例えば樹脂材料等により形成されている。
【００４７】
弁体２２は、回転軸８１と、回転軸８１を囲繞する中空円筒形状の弁筒部８２と、回転軸８１と弁筒部８２とを連結するスポーク部８３〜８５と、を主に有している。
【００４８】
図５に示すように、回転軸８１は、軸線Ｏと同軸で延在している。回転軸８１の第１端側の部分は、上述した底壁部３２に設けられた第１ブッシュ８８に回転可能に支持されている。第１ブッシュ８８は、底壁部３２を軸方向に貫通する貫通孔３２ａ内に嵌合されている。回転軸８１の第１端側の部分は、貫通孔３２ａを通して底壁部３２を軸方向に貫通している。回転軸８１の第１端側の部分は、ケーシング２１の外部において、上述した駆動ユニット２３に連結されている。これにより、駆動ユニット２３の動力が回転軸８１に伝達される。なお、図３に示すように、回転軸８１の第１端側の部分において、上述した第１ブッシュ８８に対して軸方向の第２端側に位置する部分には、貫通孔３２ａの内面と回転軸８１の外周面との間をシールするシールリング８９が介在している。
回転軸８１の第２端側の部分は、上述した蓋体２６に設けられた第２ブッシュ９１に回転可能に支持されている。
【００４９】
図８は、弁体２２を軸方向の第２端側から見た斜視図である。
図８に示すように、スポーク部８３〜８５は、回転軸８１の外周面から軸線Ｏに対して放射状に突設されている。図示の例において、各スポーク部８３〜８５は、例えば周方向に１２０°間隔で３つ（第１スポーク部８３、第２スポーク部８４及び第３スポーク部８５）形成されている。
図５、図７、図８に示すように、各スポーク部８３〜８５は、回転軸８１のうち軸方向の両端部を回避した部分に軸方向に延設されている。本実施形態において、スポーク部８３〜８５における軸方向の第１端側の縁は、上述したラジエータ流出口４１ｂよりも軸方向の第１端側であって、上述したフェール開口４１ａよりも軸方向の第２端側に位置している。
【００５０】
弁筒部８２は、軸線Ｏと同軸に配置されている。弁筒部８２の内周面には、上述したスポーク部８３〜８５の径方向の外側端部が接続されている。弁筒部８２の内側は、流入口３７ａを通してケーシング２１内に流入した冷却水が軸方向に流通する流通路９３を構成している。図４、図８に示すように、流通路９３は、上述したスポーク部８３〜８５によって周方向に複数の流路（第１流路９４、第２流路９５及び第３流路９６）に分割されている。具体的に、第１流路９４は、第１スポーク部８３及び第２スポーク部８４により周方向で仕切られている。第２流路９５は、第２スポーク部８４及び第３スポーク部８５により周方向で仕切られている。第３流路９６は、第１スポーク部８３及び第３スポーク部８５により周方向で仕切られている。なお、図５に示すように、ケーシング２１内において、弁筒部８２及びスポーク部８３〜８５よりも軸方向の第１端側に位置する部分（軸方向で弁筒部８２を回避した位置）は、流通路９３に連通する接続流路９８を構成している。
【００５１】
図９は、弁筒部８２の展開図である。
図８、図９に示すように、弁筒部８２において、上述したラジエータ流出口４１ｂと軸方向の同位置には、弁筒部８２を径方向に貫通するラジエータ連通口１００が形成されている。ラジエータ連通口１００は、径方向から見てラジエータ流出口４１ｂと少なくとも一部が重なり合う場合に、ラジエータ連通口１００を通じてラジエータ流出口４１ｂと流通路９３内とを連通させる。本実施形態において、ラジエータ連通口１００は、丸孔に形成されている。また、ラジエータ連通口１００は、例えば周方向に間隔をあけて２つ形成されている。
【００５２】
弁筒部８２において、上述したバイパス流出口５５ａと軸方向の同位置には、弁筒部８２を径方向に貫通するバイパス連通口１０２が形成されている。バイパス連通口１０２は、径方向から見てバイパス流出口５５ａと少なくとも一部が重なり合う場合に、バイパス連通口１０２を通じてバイパス流出口５５ａと流通路９３内とを連通させる。本実施形態において、バイパス連通口１０２は、丸孔に形成されている。また、バイパス連通口１０２は、例えば周方向に間隔をあけて２つ形成されている。
【００５３】
弁筒部８２において、上述した暖機流出口５６ａと軸方向の同位置には、弁筒部８２を径方向に貫通する暖機連通口１０４が形成されている。暖機連通口１０４は、径方向から見て暖機流出口５６ａと少なくとも一部が重なり合う場合に、暖機連通口１０４を通じて暖機流出口５６ａと流通路９３内とを連通させる。本実施形態において、暖機連通口１０４は、丸孔に形成されている。また、暖機連通口１０４は、例えば周方向に間隔をあけて４つ形成されている。
【００５４】
弁筒部８２において、上述した空調流出口６６ａと軸方向の同位置には、弁筒部８２を径方向に貫通する空調連通口１０６が形成されている。空調連通口１０６は、径方向から見て空調流出口６６ａと少なくとも一部が重なり合う場合に、空調連通口１０６を通じて空調流出口６６ａと流通路９３内とを連通させる。空調連通口１０６は、例えば周方向を長尺方向とする長孔に形成されている。本実施形態において、空調連通口１０６は、第３スポーク部８５を周方向に跨るように形成されている。
【００５５】
空調連通口１０６における軸方向の開口幅は、上述したバイパス流出口５５ａ及び暖機流出口５６ａ間の軸方向の間隔よりも狭くなっている。したがって、空調連通口１０６は、バイパス流出口５５ａ及び暖機流出口５６ａに連通しないように構成されている。なお、空調連通口１０６における軸方向の開口幅は、上述した空調流出口６６ａの内径よりも小さくなっている。
【００５６】
弁体２２は、軸線Ｏ回りの回転に伴い、流通路９３内と各流出口４１ｂ，５５ａ，５５ｂ，６６ａとの連通及び遮断を切り替える。そして、ケーシング２１内に流入する冷却水は、各流出口のうち連通口に連通している流出口を通して各流路１１〜１４に分配される。なお、流出口と連通口との連通パターンは、適宜設定が可能である。そして、流出口と連通口とのレイアウトは、設定した連通パターンに応じて切り替えることができる。
【００５７】
図３に示すように、上述したラジエータ流出口４１ｂ内には、弁筒部８２の外周面とケーシング本体２５の内周面との間をシールするシール機構１１０が設けられている。シール機構１１０は、摺動リング１１１と、シールリング１１２と、付勢部材１１３と、を有している。
摺動リング１１１は、ラジエータ流出口４１ｂ内に挿入されている。摺動リング１１１における径方向の内側端面は、弁筒部８２の外周面に摺動可能に接触している。なお、本実施形態において、摺動リング１１１における径方向の内側端面は、弁筒部８２の曲率半径に倣って形成された湾曲面とされている。
【００５８】
シールリング１１２は、例えばＵパッキンである。シールリング１１２は、摺動リング１１１に外嵌されている。シールリング１１２の外周面は、ラジエータ流出口４１ｂの内周面に摺動可能に密接している。
付勢部材１１３は、摺動リング１１１における径方向の外側端面と、ラジエータジョイント４２のフランジ部４３と、の間に介在している。付勢部材１１３は、例えばウェーブスプリングである。付勢部材１１３は、摺動リング１１１を径方向の内側に向けて（弁筒部８２に向けて）付勢している。
【００５９】
なお、上述したバイパス流出口５５ａ、暖機流出口５６ａ及び空調流出口６６ａ内にも、ラジエータ流出口４１ｂ内に設けられたシール機構１１０と同様の構成からなるシール機構１１０が設けられている。本実施形態では、バイパス流出口５５ａ、暖機流出口５６ａ及び空調流出口６６ａ内に設けられたシール機構１１０は、ラジエータ流出口４１ｂ内に設けられたシール機構１１０と同様の符号を付して説明を省略する。
【００６０】
図５に示すように、弁体２２のうち、軸方向におけるバイパス連通口１０２と空調連通口１０６との間に位置する部分には、流通路９３の一部を閉塞する規制壁部１２０が形成されている。図４に示すように、規制壁部１２０は、上述した流通路９３のうち周方向における２／３程度の範囲を閉塞している。本実施形態では、流通路９３を構成する各流路９４〜９６のうち、第１流路９４及び第２流路９５が規制壁部１２０によって軸方向の第１端側と第２端側とに仕切られている。この場合、図５に示すように、第１流路９４及び第２流路９５のうち、規制壁部１２０に対して第１端側の領域は、上述した接続流路９８に直接連通する連通流路１２１を構成している。一方、第１流路９４及び第２流路９５のうち、規制壁部１２０に対して第２端側の領域は、第３流路９６を流通する冷却水がスポーク部（例えば、第１スポーク部８３及び第３スポーク部８５）における軸方向の第２端側の部分で折り返された後に流入する折り返し流路１２５を構成している。そして、規制壁部１２０は、折り返し流路１２５に流入した冷却水の軸方向の第１端側への流通を規制する。
【００６１】
図９に示すように、本実施形態において、上述した各ラジエータ連通口１００は、例えば上述した第１流路９４及び第２流路９５における連通流路１２１内にそれぞれ連通している。
各バイパス連通口１０２は、例えば一のバイパス連通口１０２が連通流路１２１内に連通し、他のバイパス連通口１０２が第３流路９６内に連通している。
空調連通口１０６は、例えば一部が折り返し流路１２５内に連通し、残りの部分が第３流路９６内に連通している。
【００６２】
各暖機連通口１０４は、例えば３つの暖機連通口１０４ａ〜１０４ｃが折り返し流路１２５内に連通している。一方、各暖機連通口１０４のうち、例えば残り１つの暖機連通口１０４ｄは、第３流路９６内に連通している。なお、各暖機連通口１０４は、少なくともラジエータ連通口１００と同じタイミングで開弁状態となる暖機連通口１０４（例えば、暖機連通口１０４ｂ）が折り返し流路１２５内に連通していれば構わない。また、流通路９３内において、規制壁部１２０で閉塞された部分以外の流路断面積（第３流路９６の流路断面積）は、いずれの暖機連通口１０４の開口面積以上に設定されていれば、適宜変更が可能である。
【００６３】
［作用］
次に、上述した制御バルブ８の作用を説明する。以下の説明では、例えば図１０に示す連通パターンでの冷却水の流れを主に説明する。すなわち、図１０に示す連通パターンでは、ラジエータ流出口４１ｂがラジエータ連通口１００を通して流通路９３（連通流路１２１）内に連通している。また、暖機流出口５６ａが暖機連通口１０４ｂを通して流通路９３（折り返し流路１２５）内に連通している。さらに、空調流出口６６ａが空調連通口１０６を通して流通路９３（折り返し流路１２５）内に連通している。
【００６４】
図１に示すように、メイン流路１０において、ウォータポンプ３により送出される冷却水は、エンジン２で熱交換された後、制御バルブ８に向けて流通する。図５に示すように、メイン流路１０においてエンジン２を通過した冷却水は、流入口３７ａを通してケーシング２１内の接続流路９８内に流入する。
【００６５】
図６に示すように、接続流路９８内に流入した冷却水のうち、一部の冷却水はフェール開口４１ａを経由した後、ＥＧＲポート５１のＥＧＲ流出口５１ａ内に流入する。ＥＧＲ流出口５１ａ内に流入した冷却水は、ＥＧＲジョイント５２を通ってＥＧＲ流路１５内に供給される。ＥＧＲ流路１５内に供給された冷却水は、ＥＧＲクーラ７において、冷却水とＥＧＲガスとの熱交換が行われた後、メイン流路１０に戻される。
【００６６】
このように、ＥＧＲ流路１５に供給される冷却水は、接続流路９８内に流入した後、流通路９３を経ずにＥＧＲ流出口５１ａ内に流入する。すなわち、ＥＧＲ流出口５１ａには、弁体２２の回転位置に関わらず、常に冷却水が流入するようになっている。これにより、例えばラジエータ流出口４１ｂ、バイパス流出口５５ａ，暖機流出口５６ａ、空調流出口６６ａが何れも閉弁状態（弁体２２の全閉時）である場合に、接続流路９８から流通路９３に向かう冷却水の流れが弱まる。そのため、弁体２２の全閉時において、ケーシング２１内に進入したコンタミが弁体２２に向けて流れるのを抑制し、ＥＧＲ流出口５１ａからコンタミを積極的に排出できる。これにより、弁筒部８２の外周面とケーシング２１（周壁部３１）の内周面との間にコンタミを噛み込んで、弁体２２の回転が阻害されるのを抑制できる。
【００６７】
一方、図５に示すように、接続流路９８内に流入した冷却水のうち、ＥＧＲ流出口５１ａ内に流入しなかった冷却水は、軸方向の第１端側から流通路９３（第３流路９６及び連通流路１２１）内に流入する。流通路９３内に流入した冷却水は、流通路９３内を軸方向に流通する過程で各流出口に分配される。具体的に、図５、図１０に示すように、流通路９３を流通する冷却水のうち、一部の冷却水はラジエータポート４１に差し掛かった時点で、ラジエータ連通口１００内に流入する。ラジエータ連通口１００内に流入した冷却水は、ラジエータ流出口４１ｂを通ってラジエータジョイント４２のラジエータ連通部４４ｂ内に流入する。ラジエータ連通部４４ｂ内に流入した冷却水は、合流部４４ｃ内を流通した後、ラジエータ流路１１に供給される。ラジエータ流路１１に供給された冷却水は、ラジエータ４との間で熱交換が行われた後、再びメイン流路１０に戻される。
【００６８】
流通路９３内でラジエータポート４１を通過した冷却水のうち、連通流路１２１（第１流路９４及び第２流路９５）内を流通する冷却水は、規制壁部１２０によって軸方向の第２端側への流通が規制される。一方、図８、図１０に示すように、流通路９３内でラジエータポート４１を通過した冷却水のうち、第３流路９６内を流通する冷却水は、スポーク部８３，８５の第２端側の部分において軸方向の第１端側に折り返される（冷却水の流通方向が変更される）。
【００６９】
これにより、図５、図１０に示すように、冷却水が折り返し流路１２５内に流入する。折り返し流路１２５内に流入した冷却水は、暖機ポート５６に差し掛かる。すると、冷却水は、暖機連通口１０４のうち暖機流出口５６ａと連通している暖機連通口１０４ｂを通って暖機流出口５６ａ内に流入する。暖機流出口５６ａ内に流入した冷却水は、暖機ジョイント６２を通って暖機流路１３内に供給される。暖機流路１３内に供給された冷却水は、オイルウォーマ５において、エンジンオイルとの間で熱交換が行われた後、メイン流路１０に戻される。
【００７０】
折り返し流路１２５内を流通する冷却水のうち、暖機ポート５６を通過した冷却水は、空調ポート６６に差し掛かる。すると、冷却水は、空調連通口１０６を通って空調流出口６６ａ内に流入する。空調流出口６６ａ内に流入した冷却水は、空調ジョイント６８を通って空調流路１４内に供給される。空調流路１４内に供給された冷却水は、ヒータコア６において、空調空気との間で熱交換が行われた後、メイン流路１０に戻される。なお、図１０に示す連通パターンにおいて、空調連通口１０６は、第３流路９６内に連通していても構わない。すなわち、空調連通口１０６には、冷却水が第３流路９６内を流通する過程で分配されても構わない。
【００７１】
ここで、折り返し流路１２５内では、軸方向の第１端側への冷却水の流通が規制壁部１２０によって規制される（流通方向が変更される）。そのため、折り返し流路１２５に流入した冷却水のうち、暖機流路１３や空調流路１４内に供給されなかった冷却水は、折り返し流路１２５内で滞留する。
以上が図１０に示す連通パターンでの制御バルブ８内での冷却水の流れである。
【００７２】
制御バルブ８において、流出口と連通口との連通パターンを切り替えるには、弁体２２を軸線Ｏ回りに回転させる。そして、設定したい連通パターンに対応する位置で弁体２２の回転を停止させることで、弁体２２の停止位置に応じた連通パターンで流出口と連通口とが連通する。例えば、図９に示す連通パターンでは、暖機流出口５６ａのみが暖機連通口１０４ｄを通して流通路９３（折り返し流路１２５）内に連通している。この場合、流通路９３内に流入した冷却水のうち、第３流路９６内を流通する冷却水が暖機連通口１０４ｄを通して暖機流出口５６ａから暖機流路１３に供給される。
【００７３】
また、本実施形態の制御バルブ８では、異常発生時において、冷却水温度が過剰に上昇した場合、フェール開口４１ａを通じてラジエータ流路１１に冷却水が供給されるようになっている。具体的に、ケーシング２１内に流入する冷却水温度が所定温度以上になると、サーモスタット４５のワックスが熱膨張することで、弁体が開弁方向に移動する。これにより、フェール開口４１ａが開弁状態となる。フェール開口４１ａが開弁状態になると、接続流路９８内の冷却水がフェール開口４１ａを通じてフェール連通部４４ａ内に流入する。フェール連通部４４ａ内に流入した冷却水は、合流部４４ｃ内を流通した後、ラジエータ流路１１に供給される。これにより、連通パターンに関わらず（ラジエータ流出口４１ｂの開閉に関わらず）、ラジエータ流路１１に冷却水を供給できるようになっている。
【００７４】
このように、本実施形態では、ケーシング２１のうち、流入口３７ａに対して径方向で対向する部分に、サーモスタット４５が配置されているので、ケーシング２１内に流入した冷却水をサーモスタット４５に対して効果的に当てることができる。これにより、サーモスタット４５の感温性能を向上させることができる。その結果、弁体２２の回転位置に関わらず（ラジエータ流出口４１ｂとラジエータ連通口１００との連通状態に関わらず）、冷却水温度に応じて速やかにフェール開口４１ａを開閉できる。
【００７５】
本実施形態では、フェール開口４１ａの開口方向に直交する方向に開口するＥＧＲ流出口５１ａがラジエータポート４１に形成されている構成とした。
この構成によれば、流入口３７ａを通ってケーシング２１内に流入した冷却水は、サーモスタット４５に当たった後、ＥＧＲ流出口５１ａを通してＥＧＲ流路１５に流出することになる。そのため、ケーシング２１内におけるサーモスタット４５周辺にＥＧＲ流出口５１ａに向けた流れを作ることができるので、サーモスタット４５周辺によどみ点が形成されるのを抑制できる。そのため、サーモスタット４５の感温性能をさらに向上させることができる。
【００７６】
本実施形態では、フェール開口４１ａ及びラジエータ流出口４１ｂにまとめて連通するラジエータジョイント４２が、ラジエータポート４１の開口端面に溶着された構成とした。
この構成によれば、ラジエータジョイント４２がフェール開口４１ａ及びラジエータ流出口４１ｂにまとめて連通するため、フェール開口４１ａ及びラジエータ流出口４１ｂに別々のジョイントを溶着する場合に比べて部品点数の削減や、溶着工程の削減を図ることができる。また、フェール開口４１ａ及びラジエータ流出口４１ｂに別々のジョイントを溶着する場合に比べて、フェール開口４１ａ及びラジエータ流出口４１ｂ間に位置する部分のラジエータジョイント４２の溶着代を縮小することができる。これにより、制御バルブ８の軸方向での小型化を図ることができる。
しかも、本実施形態では、フェール開口４１ａに対向する位置に流入口３７ａが形成されているため、流入口３７ａの開口端面をラジエータジョイント４２の溶着時の座面として機能させることができる。これにより、溶着作業を効率的に行うことができる。
【００７７】
本実施形態では、ラジエータジョイント４２がラジエータ流路１１に接続されているため、冷却水温度が所定温度以上になった場合に、フェール開口４１ａを通してラジエータ４に冷却水を供給することができる。これにより、冷却水の温度を速やかに所定温度未満に下げることができる。
【００７８】
（第２実施形態）
次に、本発明の第２実施形態について説明する。本実施形態では、主に回転軸８１の軸方向の両端部が大気に開放されている点、及びＥＧＲジョイント（第１ジョイント）２４２を蓋体２６に一体に形成している点が上述した第１実施形態と相違している。なお、以下の説明では、上述した第１実施形態と同様の構成については同一の符号を付して説明を省略する。
【００７９】
図１１は、第２実施形態に係る制御バルブ８において、軸方向の第１端側を示す拡大断面図である。
図１１に示すように、本実施形態の弁体２２は、弁体本体２０１の内側に内側軸部２０２がインサート成形されて構成されている。
内側軸部２０２は、弁体本体２０１（例えば、樹脂材料）よりも剛性が高い材料（例えば、金属材料）により形成されている。内側軸部２０２は、軸線Ｏと同軸で延在している。
【００８０】
内側軸部２０２の第１端側の部分は、貫通孔（大気開放部）３２ａを通して底壁部３２を軸方向に貫通している。内側軸部２０２の第１端側の部分は、上述した底壁部３２に設けられた第１ブッシュ（軸受）８８に回転可能に支持されている。具体的に、底壁部３２には、軸方向の第２端側に向けて第１軸収容壁２１０が形成されている。第１軸収容壁２１０は、上述した貫通孔３２ａを取り囲んでいる。第１軸収容壁２１０内には、上述した第１ブッシュ８８が嵌合されている。
【００８１】
内側軸部２０２のうち、第１ブッシュ８８よりも軸方向の第１端側に位置する部分（底壁部３２よりも外側に位置する部分）には、連結部２０２ａが形成されている。連結部２０２ａは、内側軸部２０２における連結部２０２ａ以外の部分（大径部２０２ｂ）よりも小径に形成されるとともに、外周面にスプラインが形成されている。連結部２０２ａは、ケーシング２１の外部において、上述した駆動ユニット２３に連結されている。
【００８２】
図１２は、第２実施形態に係る制御バルブ８において、軸方向の第２端側を示す拡大断面図である。
図１２に示すように、内側軸部２０２の第２端側の部分は、上述した蓋体２６に設けられた第２ブッシュ（軸受）９１に回転可能に支持されている。具体的に、蓋体２６には、軸方向の第１端側に向けて第２軸収容壁２１１が形成されている。第２軸収容壁２１１内には、上述した第２ブッシュ９１が嵌合されている。
【００８３】
図１１に示すように、弁体本体２０１は、上述した内側軸部２０２の周囲を取り囲んでいる。弁体本体２０１は、内側軸部２０２を覆う外側軸部２２０と、外側軸部２２０を囲繞する弁筒部８２と、外側軸部２２０及び弁筒部８２同士を連結するスポーク部８３〜８５（図４参照）と、を主に有している。
【００８４】
外側軸部２２０は、内側軸部２０２における軸方向の両端部を露出させた状態で、内側軸部２０２の周囲を全周に亘って取り囲んでいる。本実施形態では、外側軸部２２０及び内側軸部２０２によって弁体２２の回転軸８１を構成している。
【００８５】
回転軸８１における軸方向の両端部は、軸方向の内側から外側に向かうに従い外径が段々と縮径する段付き形状に形成されている。具体的に、回転軸８１の第１端側の部分は、外側軸部２２０、内側軸部２０２の大径部２０２ｂ及び連結部２０２ａの順に外径が縮小している。外側軸部２２０における軸方向の第１端側の端面２２０ａは、上述した第１ブッシュ８８に軸方向の第２端側から当接可能に構成されている。
一方、図１２に示すように、回転軸８１の第２端側の部分は、外側軸部２２０及び内側軸部２０２の大径部２０２ｂの順に外径が縮小している。外側軸部２２０における軸方向の第２端側の端面２２０ｂは、上述した第２ブッシュ９１に軸方向の第１端側から当接可能に構成されている。すなわち、本実施形態のブッシュ８８，９１は、回転軸８１を径方向及び軸方向に支持している。
【００８６】
図１１に示すように、上述した第１軸収容壁２１０内において、第１ブッシュ８８に対して軸方向の第２端側には、第１シールリング２３０が設けられている。第１シールリング２３０は、第１軸収容壁２１０の内周面と回転軸８１（外側軸部２２０）の外周面との間をシールする。
【００８７】
第１軸収容壁２１０内において、第１シールリング２３０よりも軸方向の第１端側に位置する部分は、貫通孔３２ａを通じて大気に開放されている。したがって、回転軸８１の第１端側の部分（回転軸８１のうち、第１シールリング２３０のシール部分（外側軸部２２０）よりも軸方向の第１端側に位置する部分）には、駆動ユニット２３と底壁部３２との隙間や、貫通孔３２ａ、第１軸収容壁２１０と第１ブッシュ８８との隙間等を通じて大気圧が作用している。この際、回転軸８１の第１端側の部分において、軸方向での受圧面は、連結部２０２ａ、大径部２０２ｂ及び外側軸部２２０それぞれの第１端側を向く端面である。
【００８８】
一方、図１２に示すように、上述した第２軸収容壁２１１内において、第２ブッシュ９１に対して軸方向の第１端側には、第２シールリング２３１が設けられている。第２シールリング２３１は、第２軸収容壁２１１の内周面と回転軸８１（外側軸部２２０）の外周面との間をシールする。
【００８９】
蓋体２６には、蓋体２６を軸方向に貫通する貫通孔（大気開放部）２３３が形成されている。具体的に、貫通孔２３３は、蓋体２６において軸線Ｏと同軸で軸端面２３８に対向する位置に設けられる。なお、蓋体２６において、貫通孔２３３に対して径方向の外側に位置する部分には、樹脂成形時のピンゲートの跡である外側貫通孔２３４が形成されている。本実施形態において、外側貫通孔２３４は、軸線Ｏ回りの周方向で間隔をあけて複数形成されている。上述した貫通孔２３３，２３４の内径は、ケーシング２１と弁筒部８２との間の隙間よりも小さいことが好ましい。これにより、仮に貫通孔２３３，２３４を通じてケーシング２１内にコンタミが進入したとしても、ケーシング２１と弁筒部８２との間にコンタミを噛み込んで弁体２２の回転が阻害されるのを抑制できる。但し、貫通孔２３３，２３４の数や形状、位置等は、適宜設計変更が可能である。
【００９０】
第２軸収容壁２１１内において、回転軸８１と第２シールリング２３１とのシール部分よりも軸方向の第２端側に画成された空間は、貫通孔２３３を通じて大気に開放されている。したがって、回転軸８１の第２端側の部分（回転軸８１のうち、第２シールリング２３１のシール部分（外側軸部２２０）よりも軸方向の第２端側）には、貫通孔２３３を通じて大気圧が作用している。すなわち、本実施形態では、回転軸８１の両端部に作用する圧力に差圧が生じないようになっている。なお、貫通孔２３３は、軸線Ｏと同軸に限らず、蓋体２６のうち軸端面２３８に少なくとも一部が軸方向で対向する位置に形成され、蓋体２６、第２ブッシュ９１、及び軸端面２３８で画成された部分に連通していれば構わない。
【００９１】
回転軸８１の第２端側において、軸方向の受圧面は、大径部２０２ｂ及び外側軸部２２０それぞれの第２端側を向く端面である。本実施形態において、各受圧面を軸方向に投影した面積は、互いに等しいことが好ましい。但し、各受圧面の面積は適宜変更が可能である。
【００９２】
蓋体２６のうち、第２軸収容壁２１１よりも径方向の内側に位置する部分には、軸方向の第２端側に突出する規制壁２３５が形成されている。規制壁２３５は、上述した貫通孔２３３の周囲を取り囲んでいる。
【００９３】
蓋体２６のうち、規制壁２３５に対して径方向でラジエータポート４１寄りに位置する部分には、ＥＧＲ流出口２４０が形成されている。ＥＧＲ流出口２４０は、蓋体２６を軸方向に貫通している。本実施形態においても、ＥＧＲ流出口２４０は、フェール開口４１ａの開口方向（径方向）に交差（直交）している。また、ＥＧＲ流出口２４０は、軸方向から見た正面視において、サーモスタット４５に少なくとも一部で重なり合っている。
【００９４】
蓋体２６において、ＥＧＲ流出口２４０の開口縁には、ＥＧＲジョイント２４２が形成されている。ＥＧＲジョイント２４２は、軸方向の第２端側に向かうに従い径方向の外側に延びる管状に形成されている。ＥＧＲジョイント２４２は、ＥＧＲ流出口２４０と上述したＥＧＲ流路１４（図１参照）の上流端部との間を接続している。本実施形態において、ＥＧＲジョイント２４２は、蓋体２６に一体に形成されている。
【００９５】
本実施形態では、上述した第１実施形態と同様の作用効果を奏することに加え、以下の作用効果を奏する。
すなわち、ＥＧＲジョイント２４２が蓋体２６に一体に形成されているため、ケーシング本体２５や蓋体２６にＥＧＲジョイントを別体で取り付ける（溶着等）場合に比べて、部品点数の削減や、溶着工程の削減を図ることができる。
また、ＥＧＲジョイント２４２（ＥＧＲ流出口２４０）が、流入口３７ａを間に挟んで軸方向で流通路９３と反対側に配置される。そのため、弁体２２の全閉時において、ケーシング２１内に進入したコンタミが弁体２２に向けて流れるのをより確実に抑制し、ＥＧＲ流出口２４０からコンタミを積極的に排出できる。
【００９６】
本実施形態では、回転軸８１の軸方向の両端部が大気に開放されているため、回転軸８１の両端部に作用する圧力に差圧が生じない。そのため、例えば回転軸８１の一方の端部が冷却水中に配置される構成のように、各受圧面に作用する圧力が異なる場合に比べて、回転軸８１の各受圧面に作用する軸方向の荷重を均等に設定し易くなる。これにより、回転軸８１が低圧側に軸方向で押し付けられるのを抑制できる。
【００９７】
そのため、本実施形態では、例えば以下の効果を奏する。
（１）弁体２２が駆動ユニット２３に向けて押さえ付けられるのを抑制し、駆動ユニット２３の負荷トルクの増加を抑制できる。そのため、駆動ユニット２３の高出力化及び大型化を抑制できる。
（２）回転軸８１からケーシング２１や駆動ユニット２３に伝達される軸方向の荷重を低減できるので、ラジアル軸受とは別に新たにスラスト軸受を設ける必要がない。これにより、部品点数の削減や制御バルブの軸方向での大型化を抑制できる。また、仮にラジアル軸受とは別にスラスト軸受を設ける場合であっても、低コスト、かつ簡素なスラスト軸受を選択することができ、制御バルブ８の低コスト化を図ることができる。
（３）ケーシング２１に対する弁体２２の軸方向の位置ずれを抑制できるので、ケーシング２１に形成された流出口と、弁体２２の連通口と、を軸方向で所望の位置に設定できる。これにより、所望の流量特性を得ることができる。
【００９８】
特に、本実施形態では、回転軸８１の各受圧面が互いに等しくなっているため、上述した作用効果がより顕著に奏効される。
【００９９】
なお、本発明の技術範囲は、上述した各実施形態に限定されるものではなく、本発明の趣旨を逸脱しない範囲において、上述した実施形態に種々の変更を加えたものを含む。
例えば、上述した実施形態では、制御バルブ８がエンジン２の冷却システム１に搭載された構成について説明したが、この構成のみに限らず、その他のシステムに搭載しても構わない。
上述した実施形態では、制御バルブ８に流入した冷却水を、ラジエータ流路１１、バイパス流路１２、暖機流路１３、空調流路１４及びＥＧＲ流路１５に分配する構成について説明したが、この構成のみに限られない。制御バルブ８は、制御バルブ８内に流入する冷却水を少なくとも２つの流路に分配する構成であれば構わない。
また、各連通口や流出口のレイアウトや種類、形状等についても適宜変更が可能である。
【０１００】
上述した実施形態では、各ジョイントを各流通口の開口端面に溶着する構成について説明したが、この構成のみに限らず、その他の方法（例えば、接着や締結等）で各ジョイントを各流通口の開口端面に固定しても構わない。
上述した実施形態では、例えば流入口、各連通口及び各流出口が弁筒部８２及びケーシング２１をそれぞれ径方向に貫通している構成について説明したが、この構成のみに限られない。例えば各連通口及び各流出口は、弁筒部８２及びケーシング２１をそれぞれ軸方向に貫通していても構わない。
【０１０１】
上述した実施形態では、フェール開口４１ａがラジエータ流路１１に連通する構成について説明したが、この構成のみに限られない。
上述した実施形態では、第１流出口をラジエータ流出口４１ｂとして説明したが、この構成のみに限られない。
【０１０２】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【０１０３】
４…ラジエータ
７…ＥＧＲクーラ（熱交換器）
８…制御バルブ
２１…ケーシング
２２…弁体
３２ａ…貫通孔（大気開放部）
３７ａ…流入口
４１ａ…フェール開口
４１ｂ…ラジエータ流出口（第１流出口）
４２…ラジエータジョイント（第２ジョイント）
４５…サーモスタット
５１ａ…ＥＧＲ流出口（第２流出口）
８１…回転軸
８２…弁筒部
８８…第１ブッシュ（軸受）
９１…第２ブッシュ（軸受）
９８…接続流路
２３０…第１シールリング
２３１…第２シールリング
２３３…貫通孔（大気開放部）
２４２…ＥＧＲジョイント（第１ジョイント）
【図１】
2018071779.tif 000003
【図２】
2018071779.tif 000004
【図３】
2018071779.tif 000005
【図４】
2018071779.tif 000006
【図５】
2018071779.tif 000007
【図６】
2018071779.tif 000008
【図７】
2018071779.tif 000009
【図８】
2018071779.tif 000010
【図９】
2018071779.tif 000011
【図１０】
2018071779.tif 000012
【図１１】
2018071779.tif 000013
【図１２】
2018071779.tif 000014
【手続補正書】
【提出日】平成29年8月10日(2017.8.10)
【手続補正１】
【補正対象書類名】明細書
【補正対象項目名】００７２
【補正方法】変更
【補正の内容】
【００７２】
制御バルブ８において、流出口と連通口との連通パターンを切り替えるには、弁体２２を軸線Ｏ回りに回転させる。そして、設定したい連通パターンに対応する位置で弁体２２の回転を停止させることで、弁体２２の停止位置に応じた連通パターンで流出口と連通口とが連通する。例えば、図９に示す連通パターンでは、暖機流出口５６ａのみが暖機連通口１０４ｄを通して流通路９３内に連通している。この場合、流通路９３内に流入した冷却水のうち、第３流路９６内を流通する冷却水が暖機連通口１０４ｄを通して暖機流出口５６ａから暖機流路１３に供給される。